(57)【要約】【課題】  小型化が可能であり、組み立てが容易であり、かつ、落下衝撃に強い光学モジュールおよびこれを備えた撮影装置を提供する。【解決手段】  ガイド板１４は、光軸方向に延びた第１のガイド板１４ａと、第１のガイド板１４ａと直交して設けられた第２のガイド板１４ｂとにより構成されている。第２のガイド板１４ｂに、圧電素子１１の被写体側の面が接着されている。これにより圧電素子１１の伸縮に応じて、ガイド板１４は光軸方向に前後して移動する。付勢ばね１５により、第１のガイド板１４ａをレンズホルダ１０の平面壁１０ｆ側に付勢することにより、第１のガイド板１４ａと平面壁１０ｆとの間に、静止摩擦力が生じたり、圧電素子１１の伸縮にともなってガイド板１４を介してレンズホルダ１０に移動力が加えられる。【選択図】  図２
2006276741.tif 000002
【特許請求の範囲】
【請求項１】
レンズを保持するとともに、前記レンズの光軸方向に移動可能なレンズホルダと、
前記レンズホルダを前記レンズの光軸方向に摺動可能に支持するレンズホルダ支持体と、
伸びる速度と縮む速度とが異なるように電圧が印加され、前記レンズの光軸方向に伸縮し、当該伸縮方向の一方の面が前記レンズホルダ支持体に固着された圧電素子と、
前記圧電素子の伸縮方向の他方の面が固着されて、前記圧電素子の伸縮にともなって前記レンズの光軸方向に移動可能であるとともに、前記レンズホルダの外周面に摺動可能に当接したガイド板と、
前記ガイド板と前記レンズホルダの外周面との少なくとも一方を他方に押圧する付勢ばねとを備えたことを特徴とする光学モジュール。
【請求項２】
請求項１の光学モジュールにおいて、前記ガイド板を逆Ｌ字状に形成し、前記ガイド板の前記レンズの光軸方向に延びた面と前記レンズホルダの外周面とを摺動可能に当接し、前記ガイド板の前記レンズの光軸方向に延びた面と直交する面に前記圧電素子の伸縮方向の他方の面を固着したことを特徴とする光学モジュール。
【請求項３】
請求項１または２に記載の光学モジュールを備えたことを特徴とする撮影装置。
【発明の詳細な説明】
【技術分野】
【０００１】
本発明は、圧電素子をアクチュエータとして用いた光学モジュール、および、これを備えた撮影装置に関する。
【背景技術】
【０００２】
カメラ等の撮影装置においては、レンズを保持するレンズホルダ等を移動させて、オートフォーカス等のフォーカス制御、あるいは、ズーム制御が行われる。レンズホルダを移動させるのに、従来の一例として、圧電素子にガイド棒を接着し、ガイド棒にレンズホルダを移動可能に支持させ、ガイド棒とレンズホルダとの間に摩擦力を発生させる板バネ等を備えた駆動装置が用いられていた（例えば、特許文献１）。この駆動装置は、圧電素子を伸縮させて、ガイド棒を長手方向に移動させることにより、板バネ等でガイド棒とレンズホルダとの間に摩擦力を発生させ、この摩擦力によってレンズホルダをレンズの光軸方向に移動させるものである。
【特許文献１】特開平７−２９８６５６号公報
【発明の開示】
【発明が解決しようとする課題】
【０００３】
しかしながら、上述したようなレンズホルダの駆動装置では、レンズの光軸方向に圧電素子に接着されたガイド棒が伸びているために、レンズの光軸方向に大きくなってしまうという問題があった。また、レンズホルダをガイド棒に移動可能に支持させたり、ガイド棒及び圧電素子を支持部材に支持させたりしなければならないために、全体の構成が複雑になってしまい、組み立てにも手間がかかるという問題があった。さらに、圧電素子が接着された細いガイド棒だけでレンズホルダを移動可能に支持させているために、落下衝撃時に破壊しやすいという問題があった。
【０００４】
本発明は、上記実情に鑑みてなされたもので、小型化が可能であり、組み立てが容易であり、かつ、落下衝撃に強い光学モジュールおよびこれを備えた撮影装置を提供することを目的とする。
【課題を解決するための手段】
【０００５】
上記目的を達成するため、本発明の光学モジュールは、
レンズを保持するとともに、前記レンズの光軸方向に移動可能なレンズホルダと、
前記レンズホルダを前記レンズの光軸方向に摺動可能に支持するレンズホルダ支持体と、
伸びる速度と縮む速度とが異なるように電圧が印加され、前記レンズの光軸方向に伸縮し、当該伸縮方向の一方の面が前記レンズホルダ支持体に固着された圧電素子と、
前記圧電素子の伸縮方向の他方の面が固着されて、前記圧電素子の伸縮にともなって前記レンズの光軸方向に移動可能であるとともに、前記レンズホルダの外周面に摺動可能に当接したガイド板と、
前記ガイド板と前記レンズホルダの外周面との少なくとも一方を他方に押圧する付勢ばねとを備えたことを特徴とする。
【０００６】
また、前記ガイド板を逆Ｌ字状に形成し、前記ガイド板の前記レンズの光軸方向に延びた面と前記レンズホルダの外周面とを摺動可能に当接し、前記ガイド板の前記レンズの光軸方向に延びた面と直交する面に前記圧電素子の伸縮方向の他方の面を固着するようにしてもよい。
【０００７】
上記目的を達成するため、本発明の撮影装置は、上述した光学モジュールを備えたことを特徴とする。
【発明の効果】
【０００８】
本発明によれば、小型化が可能であり、組み立てが容易であり、かつ、落下衝撃に強い光学モジュールおよびこれを備えた撮影装置を提供することができる。
【発明を実施するための最良の形態】
【０００９】
本発明の実施の形態に係る光学モジュールおよび光学モジュールを備えた撮影装置について、以下図面を参照して説明する。
【００１０】
この発明の実施形態に適用される光学モジュールの構成の一例が図１および図２に示されている。光学モジュール１は、図１および図２に示すように、三枚のレンズ１０ａ〜１０ｃ等を保持するレンズホルダ１０と、圧電素子１１と、第１の軸受材１２と、第２の軸受材１３と、ガイド板１４と、付勢ばね１５と、基板１６上に固定された撮像素子１７と、鏡筒１８と、カバー１９とを備えている。鏡筒１８は、基板１６上に立設されている。鏡筒１８は、レンズホルダ１０が収納されるレンズホルダ収納部１８ａと、圧電素子１１からなるアクチュエータが収納されるアクチュエータ収納部１８ｂとが連結して構成されている。鏡筒１８は被写体側の上面が開口しており、レンズホルダ収納部１８ａの底面には、中空の円筒部１８１ａが突設されている。撮像素子１７は、鏡筒１８の円筒部１８１ａの中央に位置するように配置される。
【００１１】
３枚のレンズ１０ａ〜１０ｃは、被写体の光学画像を集光するものであり、図２に示すように、撮像素子１７側から順に第１のレンズ１０ａ、第２のレンズ１０ｂおよび第３のレンズ１０ｃにより構成されている。第１〜第３のレンズ１０ａ〜１０ｃは、光学特性の向上や光学モジュールの小型化などを考慮して設計されている。なお、被写体光量を調整するための２枚の絞り１０ｄ，１０ｅが、それぞれ第１のレンズ１０ａと第２のレンズ１０ｂとの間、第２のレンズ１０ｂと第３のレンズ１０ｃとの間に配置されている。
【００１２】
レンズホルダ１０は、第１〜第３のレンズ１０ａ〜１０ｃ及び絞り１０ｄ，１０ｅを保持するとともに、第１〜第３のレンズ１０ａ〜１０ｃの光軸方向(以下、単に「光軸方向」とする。)に前後に移動可能になっている。レンズホルダ１０は、レンズホルダ支持体である鏡筒１８の内壁１８２ａと円筒部１８１ａの外壁との間に光軸方向に摺動可能に保持されている。レンズホルダ１０は、第１〜第３のレンズ１０ａ〜１０ｃの光軸が基板１６上の撮像素子１７の中心に位置するように配置される。レンズホルダ１０を光軸方向に前後に移動させることにより、第１〜第３のレンズ１０ａ〜１０ｃと撮像素子１７の撮像面との間の距離を調整して、焦点調整または焦点位置調整が行われる。これにより、光学モジュール１を備えたカメラにおいて、オートフォーカス制御またはズーム制御が行われる。
【００１３】
レンズホルダ１０には、外周に光軸方向に延びる平面壁１０ｆが形成されている。平面壁１０ｆには、後述するガイド板１４の第１のガイド板１４ａが摺動可能に当接される。
【００１４】
圧電素子１１は、レンズホルダ１０を光軸方向に移動させる駆動源となるアクチュエータである。圧電素子１１は、例えば複数の圧電層を積層した積層型の圧電素子により構成されている。圧電素子１１は、所定の電圧が印加されることによって、光軸方向に伸縮する。圧電素子１１の伸縮方向の一端はガイド板１４に固着され、その他端は鏡筒１８のアクチュエータ収納部１８ｂの底面に固着されている。圧電素子１１に電圧を供給するためには、圧電素子１１にハーネス１１ａを取り付けて鏡筒１８の引き出し孔１８１ｂから外部へ引き出して、基板１６に半田付けして電気的に接続する。また、鏡筒１８に立体配線を設けることにより、圧電素子１１と基板１６とを電気的に接続するようにしてもよい。
【００１５】
第１の軸受材１２及び第２の軸受材１３は、光軸方向に伸縮する圧電素子１１を支持するものである。第１の軸受材１２は、圧電素子１１の３側面を囲む形状になっている。第２の軸受材１３は、平板状であり、第１の軸受材１２に固着されることによって、圧電素子１１の残りの１側面を囲む。第１の軸受材１２及び第２の軸受材１３は、圧電素子１１を摺動可能に保持して、すべり軸受の役割を果たす。第１の軸受材１２及び第２の軸受材１３は、鏡筒１８のアクチュエータ収納部１８ｂ内に固定されている。第１の軸受材１２及び第２の軸受材１３は、圧電素子１１との間に生じる摩擦力が小さくなるような部材で形成されている。
【００１６】
ガイド板１４は、圧電素子１１の伸縮に伴い光軸方向に移動して、レンズホルダ１０の平面壁１０ｆを介してレンズホルダ１０の光軸方向への移動を案内する。ガイド板１４は、逆Ｌ字状の部材からなる。ガイド板１４は、光軸方向に延びた第１のガイド板１４ａと、第１のガイド板１４ａと直交して設けられた第２のガイド板１４ｂとにより構成されている。第２のガイド板１４ｂに、圧電素子１１の被写体側の面が接着されている。これにより圧電素子１１の伸縮に応じて、ガイド板１４は光軸方向に前後して移動する。第１のガイド板１４ａは、第２の軸受材１３とレンズホルダ１０の平面壁１０ｆとの間に挟持され、第１のガイド板１４ａは、平面壁１０ｆに摺動可能に当接する。
【００１７】
付勢ばね１５は、第１の軸受材１２、圧電素子１１及び第２の軸受材１３を介してガイド板１４の第１のガイド板１４ａをレンズホルダ１０側に付勢する弾性部材である。付勢ばね１５は、板ばね等により構成される。付勢ばね１５は、鏡筒１８のアクチュエータ収納部１８ｂの内壁１８２ｂに固定される。付勢ばね１５により、第１のガイド板１４ａをレンズホルダ１０の平面壁１０ｆ側に付勢して平面壁１０ｆに押圧することにより、第１のガイド板１４ａと平面壁１０ｆとの間に、静止摩擦力が生じ、また圧電素子１１の伸縮によりガイド板１４が光軸方向にゆっくりと移動したときにこの移動に追従してレンズホルダ１０が平面壁１０ｆと第１のガイド板１４ａとの間の摩擦力により光軸方向に移動する。付勢ばね１５のばね力は、圧電素子１１の急激な伸縮によりガイド板１４が光軸方向に急速に移動したときに第１のガイド板１４ａと平面壁１０ｆとの間に滑りが生じる大きさに設定されている。また、第１のガイド板１４ａは、付勢ばね１５により、第２の軸受材１３と平面壁１０ｆとの間に挟持されて、光軸方向と直交する方向の位置を規制される。
【００１８】
なお、第１のガイド板１４ａのレンズホルダ１０側の面と、レンズホルダ１０の平面壁１０ｆとの少なくとも一方の面を、例えば、カーボンナノファイバー（ＣＮＦ）部材を入れて形成したり、適切な長さの静電植毛を施したりすることにより、所望の静止摩擦係数を得るようにしてもよい。
【００１９】
また、付勢ばね１５により、レンズホルダ１０は、第１の軸受材１２、圧電素子１１、第２の軸受材１３及びガイド板１４を介してレンズホルダ収納部１８ｂの内壁１８２ａ側に付勢される。
【００２０】
撮像素子１７は、第１〜第３のレンズ１０ａ〜１０ｃにより結像された被写体像を撮像して電気信号に変換するものである。撮像素子１７は、例えばＣＣＤ(Charge Coupled Device)型イメージセンサ、ＣＭＯＳ(Complementary Metal Oxide Semiconductor)型イメージセンサ等により構成される。撮像素子１７は基板１６に電気的に接続されている。なお、カバー１９は、鏡筒１８内部の収納物を保護するための蓋状物であり、鏡筒１８の被写体側の開口に取り付けられる。
【００２１】
ここで、圧電素子１１を駆動して、レンズホルダ１０を光軸方向に移動させる方法について図３を用いて説明する。まず、圧電素子１１に電圧を印加していない状態では、レンズホルダ１０は、平面壁１０ｆと第１のガイド板１４ａとの間に生じる摩擦力により、鏡筒１８に対して移動せずにその光軸方向の位置が保持されている。
【００２２】
この状態で、図３（ａ）のａに示すように、圧電素子１１に緩やかに上昇する電圧Ｖを印加すると、圧電素子１１がゆっくりと伸び、これに伴ってガイド板１４が光軸に沿って被写体側へゆっくりと移動し、この移動に追従してレンズホルダ１０が平面壁１０ｆと第１のガイド板１４ａとの間の摩擦力により鏡筒１８に対して光軸に沿って被写体側へゆっくりと移動する。次に、図３（ａ）のｂに示すように、圧電素子１１に急激に下降する電圧Ｖを印加すると、圧電素子１１が急激に縮み、これに伴ってガイド板１４が光軸に沿って撮像素子１７側へ急速に移動する。この際、ガイド板１４の急速な移動により、レンズホルダ１０の平面壁１０ｆと第１のガイド板１４ａとの間に滑りが生じ、この滑りによりレンズホルダ１０がガイド板１４の移動に追従して移動することがない。すなわち、圧電素子１１の伸びる速度と縮む速度とを異ならせて、圧電素子１１をゆっくり伸ばして、急激に縮める動作を繰り返すことにより、レンズホルダ１０を光軸に沿って被写体側の所望の位置に移動させることができる。
【００２３】
また、図３（ｂ）のａに示すように、圧電素子１１に急激に上昇する電圧Ｖを印加すると、圧電素子１１が急激に伸び、これに伴ってガイド板１４が光軸に沿って被写体側へ急速に移動する。この際、ガイド板１４の急速な移動により、レンズホルダ１０の平面壁１０ｆと第１のガイド板１４ａとの間に滑りが生じ、この滑りによりレンズホルダ１０がガイド板１４の移動に追従して移動することがなく、レンズホルダ１０と鏡筒１８との位置関係が保たれる。次に、図３（ｂ）のｂに示すように、圧電素子１１に緩やかに下降する電圧Ｖを印加すると、圧電素子１１がゆっくりと縮み、これに伴ってガイド板１４が光軸に沿って撮像素子１７側へゆっくりと移動し、この移動に追従してレンズホルダ１０が平面壁１０ｆと第１のガイド板１４ａとの間の摩擦力により鏡筒１８に対して光軸に沿って撮像素子１７側へゆっくりと移動する。すなわち、圧電素子１１を急激に伸ばして、ゆっくり縮める動作を繰り返すことにより、レンズホルダ１０を光軸に沿って撮像素子１７側の所望の位置に移動させることができる。
【００２４】
光学モジュール１を備えた撮影装置であるカメラにおいて、レンズホルダ１０を光軸方向に移動させて、アクティブ型のオートフォーカス制御またはズーム制御を行うための制御回路について図４を用いて説明する。カメラは、制御部３０を有し、この制御部３０は、ＣＰＵ（Central Processing Unit）３１とメモリ３２とドライバ３３と位置検出回路３４とを備えている。ＣＰＵ３１は、レンズホルダ１０全体の制御や演算処理等を行うものである。メモリ３２には、レンズホルダ１０を制御するためのプログラムや制御情報等が格納されている。ドライバ３３は、ＣＰＵ３１からの制御信号に応じて、圧電素子１１からなる圧電アクチュエータを駆動して、レンズホルダ１０を光軸方向に移動させる。位置検出回路３４は、位置検出センサ３５からのレンズホルダ１０の位置検出信号を受けてＣＰＵ３１に位置検出信号を伝える。位置検出センサ３５は、レンズホルダ１０の光軸方向の位置を検出するセンサであり、例えば、フォトインタラプタやフォトリフレクタ等のフォトセンサ、圧電センサ、磁気センサ等により構成される。操作ボタン３６は、ＣＰＵ３１に接続されている。赤外線投受光器３７は、被写体までの自動測距を行うものであり、ＣＰＵ３１に被写体までの距離情報を伝えるものである。赤外線投受光器３７の赤外線投光器から被写体に向かって光が投光され、被写体にあたって戻ってくる反射光を赤外線投受光器３７の赤外線受光器で検出することにより、被写体までの距離測定が行われる。
【００２５】
ここで、この光学モジュール１を備えたカメラで、アクティブ型のオートフォーカス制御を行う方法について説明する。操作ボタン３６が押されると、赤外線投受光器３７等によって被写体までの距離情報が取得される。ＣＰＵ３１は、被写体までの距離情報に対応した位置となるようにレンズホルダ１０を光軸方向に移動させるべく、圧電素子１１からなる圧電アクチュエータを駆動するための出力をドライバ３３に指示する。ドライバ３３は、指示に従って、圧電素子１１を駆動して、レンズホルダ１０を光軸方向に移動させる。位置検出センサ３５からは、レンズホルダ１０の光軸方向の位置検出信号が位置検出回路３４に供給され、位置検出回路３４からＣＰＵ３１へと伝えられる。      
【００２６】
ＣＰＵ３１では、レンズホルダ１０の位置検出信号に基づいて、レンズホルダ１０（第１〜第３のレンズ１０ａ〜１０ｃ）の位置が被写体までの距離に応じた位置に移動されたかどうかが判定される。そして、ＣＰＵ３１において、レンズホルダ１０の位置が適切な位置に配置されたと判定された場合には、ドライバ３３に圧電素子１１の駆動を停止させる信号を出力する。このように光学モジュール１を備えたカメラでは、アクティブ型のオートフォーカス制御が行われる。
【００２７】
また、光学モジュール１を備えたカメラで、ズーム制御を行う場合には、操作ボタン３６により所望の焦点距離情報がＣＰＵ３１に入力される。ＣＰＵ３１はこの所望の焦点距離情報に対応した位置になるようにレンズホルダ１０を光軸方向に移動させるべく、圧電素子１１を駆動するための出力をドライバ３３に指示する。ドライバ３３は、指示に従って、圧電素子１１を駆動して、レンズホルダ１０を光軸方向に移動させる。
【００２８】
位置検出センサ３５からは、レンズホルダ１０の光軸方向の位置検出信号が位置検出回路３４に供給され、位置検出回路３４からＣＰＵ３１へと伝えられる。ＣＰＵ３１では、レンズホルダ１０の位置検出信号に基づいて、レンズホルダ１０の位置が所望の焦点距離情報に応じた位置に移動されたかどうかが判定される。そして、ＣＰＵ３１において、レンズホルダ１０の位置が適切な位置に配置されたと判定された場合には、ドライバ３３に圧電素子１１の駆動を停止させる信号を出力する。このように光学モジュール１を備えたカメラでは、ズーム制御が行われる。
【００２９】
光学モジュール１を備えたカメラにおいてパッシブ型のオートフォーカス制御等を行うための制御回路を図５に示す。図５に示した制御回路において、図４に示した制御回路の構成と実質的に同一な構成には同一の符号を付し、異なる構成についてのみ説明する。Ａ／Ｄ変換器４０は、撮像素子１７からの像信号をデジタル信号に変換するものである。画像処理部４１は、ＤＳＰ(Digital Signal Processor)等により構成されており、入力されたデジタル信号から各画素の輝度信号を抽出してＣＰＵ３１に出力する。
【００３０】
ここで、この光学モジュール１を備えたカメラで、パッシブ型のオートフォーカス制御を行う方法について説明する。操作ボタン３６が押されると、撮像素子１７によって、第１〜第３のレンズ１０ａ〜１０ｃにより結像された被写体像が撮像されて電気信号に変換される。Ａ／Ｄ変換器４０により、撮像素子１７からの像信号がデジタル信号に変換されて、画像処理部４１に出力される。画像処理部４１では、入力されたデジタル信号に基づいて各画素の輝度信号が抽出され、この輝度信号はＣＰＵ３１に出力される。ＣＰＵ３１では、メモリ３２に記憶されたプログラムにしたがって、各画素の輝度信号に基づいて、コントラスト値が算出される。ＣＰＵ３１は、コントラスト値が最大値になり、合焦位置になるようにレンズホルダ１０を光軸方向に移動させるべく、圧電素子１１からなる圧電アクチュエータを駆動するための出力をドライバ３３に指示する。ドライバ３３は、指示に従って、圧電素子１１を駆動して、レンズホルダ１０を光軸方向に移動させる。位置検出センサ３５からは、レンズホルダ１０の光軸方向の位置検出信号が位置検出回路３４に供給され、位置検出回路３４からＣＰＵ３１へと伝えられる。
【００３１】
ＣＰＵ３１では、レンズホルダ１０の位置検出信号に基づいて、レンズホルダ１０（第１〜第３のレンズ１０ａ〜１０ｃ）の位置が被写体までの距離に応じた位置に移動されたかどうかが判定される。そして、ＣＰＵ３１において、レンズホルダ１０の位置が適切な位置に配置されたと判定された場合には、ドライバ３３に圧電素子１１の駆動を停止させる信号を出力する。このように光学モジュール１を備えたカメラでは、パッシブ型のオートフォーカス制御が行われる。
【００３２】
本実施の形態の光学モジュールでは、光軸方向(変位方向)の大きさを圧電素子１１の長さより少し大きい程度の大きさにすることができるので、小型化が実現できる。
【００３３】
また、本実施の形態の光学モジュールでは、圧電素子１１を第１の軸受材１２および第２の軸受材１３により保持されるようにしたので、落下衝撃時には、第１の軸受材１２及び第２の軸受材１３が簡易な構成の緩衝材として圧電素子１１を保護するため、圧電素子１１が大きく変形することがなく、落下衝撃時の圧電素子１１の破壊を防止できる。
【００３４】
また、本実施の形態の光学モジュールでは、圧電素子１１をガイド板１４および鏡筒１８に接着する以外は容易な組み立て作業であるので、組み立てが容易となる。
【００３５】
本実施の形態の撮影装置では、小型化、組立が容易であり、かつ、落下衝撃に強い光学モジュールを備えるようにしたので、省スペース化を図ることができ、簡易な構成にすることができ、かつ、落下衝撃があっても破壊する可能性が低くなる。また、このような撮影装置を携帯電話、ノート型パーソナルコンピュータ等の携帯用電子機器に搭載することにより、携帯用電子機器の小型化、構成の簡易化等を図ることができる。
【００３６】
以上、実施形態を挙げて本発明を説明したが、本発明は上記実施形態に限定されるものではなく、種々変形が可能である。例えば、本実施形態では、圧電素子１１を１つのみ設ける例について説明したが、圧電素子を複数個設けることも可能である。
【００３７】
また、本実施形態では、第１の軸受材１２及び第２の軸受材１３により圧電素子１１を保持する例について説明したが、単体の軸受材により圧電素子１１を保持するようにしてもよい。
また、本実施形態では、付勢ばね１５により第１のガイド板１４ａをレンズホルダ１０の平面壁１０ｆ側に付勢して平面壁１０ｆに押圧する構成としたが、付勢ばねによりガイド板とレンズホルダの外周面との少なくとも一方を他方に押圧する構成であればよい。例えば、付勢ばね１５に代えて、レンズホルダ１０を第１のガイド板１４ａ側に付勢してレンズホルダ１０の平面壁１０ｆを第１のガイド板１４ａに押圧する付勢ばねを設ける構成であってもよい。この場合には、付勢ばねが圧電素子１１の伸縮に悪影響を及ぼさないように第１の軸受材１２及び第２の軸受材１３により圧電素子１１を囲む必要がなく、第１の軸受材１２及び第２の軸受材１３等の軸受材を省略することができる。
【００３８】
また、本実施形態では、付勢ばね１５として板ばねを用いる例について説明したが、付勢ばねは、付勢力を付与できる弾性材であれば板ばねには限られない。
【００３９】
また、本実施形態では、撮像素子１７を有する撮影装置について説明したが、いわゆるフィルムカメラ等の撮影装置についても適用することが可能である。
【００４０】
また、本各実施形態では、第１〜第３のレンズ１０ａ〜１０ｃの３枚のレンズを備えたレンズホルダ１０について説明したが、レンズの数は３枚より少なくても、多くても本発明を適用することは可能である。
【図面の簡単な説明】
【００４１】
【図１】本発明の実施形態に係る光学モジュールの構成を表す分解斜視図である。
【図２】図１に示した光学モジュールの構成を表す断面図である。
【図３】図１に示した光学モジュールが備える圧電素子に印加する電圧の変化を表す説明図である。
【図４】図１に示した光学モジュールを備えたカメラにおいて、アクティブ型のオートフォーカス制御またはズーム制御を行うための制御回路のブロック図である。
【図５】図１に示した光学モジュールを備えたカメラにおいて、パッシブ型のオートフォーカス制御またはズーム制御を行うための制御回路のブロック図である。
【符号の説明】
【００４２】
１              光学モジュール
１０            レンズホルダ
１０ａ，１０ｂ，１０ｃ  レンズ
１０ｆ          平面壁
１４            ガイド板
１４ａ          第１のガイド板
１４ｂ          第２のガイド板
１５            付勢ばね
１７            撮像素子
１８            鏡筒
【図１】
2006276741.tif 000003
【図２】
2006276741.tif 000004
【図３】
2006276741.tif 000005
【図４】
2006276741.tif 000006
【図５】
2006276741.tif 000007